(57)【特許請求の範囲】
【請求項１】
外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の外側面に密着した断熱材の内部を白アリが通過して軸組及び床組へ侵入するのを物理的に防止する建物の防蟻構造であって、
前記断熱材の布基礎に密着しない面のこの布基礎と密着する下縁から少なくとも地上の所定高さまでの範囲を、前記白アリの分泌物に耐性の耐腐食性材料で構成されかつ複数のアンカー孔を有するシート材で被覆し、前記シート材の上縁部で前記断熱材の上面及び布基礎の天端面を被覆すると共に、このシート材の上縁部を前記土間床に取付けたことを特徴とする建物の防蟻構造。
【請求項２】
外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の内側面に密着した断熱材の内部を白アリが通過して軸組及び床組へ侵入するのを物理的に防止する建物の防蟻構造であって、
前記断熱材の布基礎に密着しない面のこの布基礎と密着する下縁から少なくとも前記土間床の下面の高さまでの範囲を、前記白アリの分泌物に耐性の耐腐食性材料で構成されかつ複数のアンカー孔を有するシート材で被覆したことを特徴とする建物の防蟻構造。
【請求項３】
前記シート材の上縁部を前記土間床に取付けたことを特徴とする請求項２記載の建物の防蟻構造。
【請求項４】
前記シート材の下縁部を前記布基礎に取付けたことを特徴とする請求項１乃至３のいずれか記載の建物の防蟻構造。
【請求項５】
建物の基礎スラブの外側面に密着した断熱材の内部を白アリが通過して、前記基礎スラブ上に設置された軸組及び床組へ侵入するのを物理的に防止する建物の防蟻構造であって、
前記断熱材の基礎スラブに密着しない面のこの基礎スラブ又は基礎スラブの下方に施工される捨てコンクリートと密着する下縁から少なくとも外側面の上縁までの範囲を、前記白アリの分泌物に耐性の耐腐食性材料で構成されかつ複数のアンカー孔を有するシート材で被覆したことを特徴とする建物の防蟻構造。
【請求項６】
前記シート材の下縁部を前記基礎スラブ又は捨てコンクリートに取付けたことを特徴とする請求項５記載の建物の防蟻構造。
【請求項７】
前記シート材が可撓性を有することを特徴とする請求項１乃至６のいずれか記載の建物の防蟻構造。
【請求項８】
前記シート材が、少なくともいずれかの方向において前記白アリの頭部横断面の最大寸法の２倍以下の寸法である複数のアンカー孔を有することを特徴とする請求項１乃至７のいずれか記載の建物の防蟻構造。
【発明の詳細な説明】
【０００１】
【発明の属する技術分野】
この発明は、床下空間を有しない建物の断熱基礎に使用される断熱材の内部を白アリが通過して軸組や床組へ侵入するのを物理的に防止する建物の防蟻構造に関する。
【０００２】
【従来の技術】
建物における従来の白アリ防除技術としては、例えば、(1) 建物の床下の地盤（土壌）と、地面から１ｍ以内の木部とを薬剤で処理する方法や、(2) 白アリの活動をモニタリングしながら、侵入してきた白アリに少量の薬剤を含む毒餌を摂食させて根絶するベイト工法（レスケミカル法）等が知られている。
【０００３】
しかしながら、上記のような従来例(1) においては、薬剤に起因する化学物質過敏症等の問題があり、即ち、建物内の環境が化学物質によって汚染されるという問題点がある。
【０００４】
また、従来例(2) においては、白アリに毒餌を摂食させ、コロニー全体の活力を衰退させることを目的とするので、その開始から終了までに少なくとも数カ月〜２年程度の長期間を要するという問題点がある。
【０００５】
そこで、これらの問題が発生しないように、(3) 薬剤を全く使用しない、ステンレスメッシュや破砕石等の物理的なバリアーを構築する物理的工法（ケミカルフリー法）等が提案されている。この物理的工法に使用されるバリアー材としては、例えば、特許第２６５２９０２号公報及び特表平８−５０６８６８号公報に開示されているように、白アリの分泌物に耐性で且つ少なくとも約７０のショア硬度を有する耐腐食性材料の編み目シートからなり、この編み目の孔がいずれの方向においても制御すべき白アリ種の頭部横断面の最大寸法より小径である白アリバリアー材等がある。
【０００６】
【発明が解決しようとする課題】
しかしながら、上記のような従来例(3) においては、断熱基礎等に使用される断熱材の内部を白アリが通過するのを防止することについては開示されていない。
【０００７】
この発明は、以上のような問題点に鑑みてなされたものであり、断熱基礎に使用される断熱材の内部を白アリが通過して軸組や床組へ侵入するのを物理的に防止できる建物の防蟻構造を提供することを目的とする。
【０００９】
【課題を解決するための手段】
上記目的を達成するための手段とするところは、第１に、外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の外側面に密着した断熱材の内部を白アリが通過して軸組及び床組へ侵入するのを物理的に防止する建物の防蟻構造であって、前記断熱材の布基礎に密着しない面のこの布基礎と密着する下縁から少なくとも地上の所定高さまでの範囲を、前記白アリの分泌物に耐性の耐腐食性材料で構成されかつ複数のアンカー孔を有するシート材で被覆し、前記シート材の上縁部で前記断熱材の上面及び布基礎の天端面を被覆すると共に、このシート材の上縁部を前記土間床に取付けたことにある。
【００１０】
第２に、外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の内側面に密着した断熱材の内部を白アリが通過して軸組及び床組へ侵入するのを物理的に防止する建物の防蟻構造であって、前記断熱材の布基礎に密着しない面のこの布基礎と密着する下縁から少なくとも前記土間床の下面の高さまでの範囲を、前記白アリの分泌物に耐性の耐腐食性材料で構成されかつ複数のアンカー孔を有するシート材で被覆したことにある。
【００１１】
第３に、前記シート材の上縁部を前記土間床に取付けたことにある。
【００１２】
第４に、前記シート材の下縁部を前記布基礎に取付けたことにある。
【００１３】
第５に、建物の基礎スラブの外側面に密着した断熱材の内部を白アリが通過して、前記基礎スラブ上に設置された軸組及び床組へ侵入するのを物理的に防止する建物の防蟻構造であって、前記断熱材の基礎スラブに密着しない面のこの基礎スラブ又は基礎スラブの下方に施工される捨てコンクリートと密着する下縁から少なくとも外側面の上縁までの範囲を、前記白アリの分泌物に耐性の耐腐食性材料で構成されかつ複数のアンカー孔を有するシート材で被覆したことにある。
【００１４】
第６に、前記シート材の下縁部を前記基礎スラブ又は捨てコンクリートに取付けたことにある。
【００１５】
第７に、前記シート材が可撓性を有することにある。
【００１６】
第８に、前記シート材が、少なくともいずれかの方向において前記白アリの頭部横断面の最大寸法の２倍以下の寸法である複数のアンカー孔を有することにある。
【００１７】
【発明の実施の形態】
以下、この発明の実施形態を図面に基づいて説明する。
図１乃至図４に示すように、第１実施形態に係る建物Ａの防蟻構造は、例えば、外周部分に施工された布基礎１と盛土２上に施工される土間床３とを有する床下空間のない建物Ａの前記布基礎１の立ち上がり部４の外側面４ａに密着した断熱材５の内部を白アリ６が通過して軸組Ｂ及び床組Ｃへ侵入するのを物理的に防止するものであって、前記断熱材５の布基礎１に密着しない外側面５ａのこの布基礎１と密着する下縁５ｆから地上の所定高さＬまでの範囲を、前記白アリ６の分泌物に耐性の耐腐食性材料で構成された例えばステンレスメッシュ（シート材）７で被覆すると共に、このステンレスメッシュ７の下縁部７ｂを前記布基礎１に取付けたものである。
【００１８】
前記布基礎１は、建物Ａの外周部分に平面視で例えば矩形状等に施工され、図１及び図２に示すように、立ち上がり部４とベース部８とから横断面が例えば逆Ｔ字状に形成されている。なお、布基礎１の内方には、この実施形態のような間仕切基礎等の布基礎９と共に又は布基礎９に代えて、独立基礎等を設けておいてもよい。
【００１９】
前記土間床３は、布基礎１の内方に周囲の地盤面１０ａより高く盛り上げられた盛土２上に、布基礎１の天端面１ｃとその上面３ｃとがほぼ同じ高さとなるように施工されている。なお、盛土２上には、この実施形態のような目つぶし砂利１１の他又は目つぶし砂利１１と共に、防湿フィルムや断熱材等を敷設しておいてもよい。断熱材を敷設する場合には、この断熱材の下面等もステンレスメッシュ７等のシート材で被覆しておくのが望ましい。
【００２０】
前記断熱材５は、例えば合成樹脂発泡体等から構成され、前記立ち上がり部４の外側面４ａに密着している。なお、この断熱材５は、布基礎１を施工してから立ち上がり部４に接着等してもよいし、あるいは断熱材５を配置してから立ち上がり部４等を打設してもよい。また、この実施形態においては、断熱材５と立ち上がり部４がほぼ同じ高さに形成されているが、これに限定されるものではなく、断熱材５の高さや取付け位置等は必要に応じて適宜変更可能である。断熱材５がベース部８に密着しない場合には、この断熱材５の下面５ｄ等もステンレスメッシュ７等で被覆しておけばよい。
【００２１】
前記白アリ６とは、ゴキブリに近縁の社会生活をする不完全変態の昆虫であって、シロアリ目（等翅類）Isopteraの総称である。このような白アリ６としては、例えば、ヤマトシロアリやイエシロアリ等の各種の白アリが挙げられる。また、この白アリ６は、図３に示すように、非変形性の堅い頭部６ａを有する一方、比較的柔らかくて弱い体部６ｂを有している。
【００２２】
前記ステンレスメッシュ７は、図４に示すように、白アリ６の分泌物に耐性で且つ少なくとも約７０のショア硬度を有する耐腐食性材料であるステンレス鋼ワイヤー７ｃ等から製織されて複数の編み目（アンカー孔）１２を有している。このようなステンレスメッシュ７としては、例えば、「ターミーメッシュ（ＴＥＲＭＩ−ＭＥＳＨ）」（商品名、ターミーメッシュ・オーストラリア社製）等を好適に使用することができる。
【００２３】
なお、白アリバリアー材として使用されるシート材としては、このようなステンレスメッシュ７に限定されるものではなく、白アリ６から放出されるギ酸等の分泌物に耐性で且つ白アリ６が噛み砕くことができない硬さ、好ましくは少なくとも約７０のショア硬度を有すると共に、使用環境下で数十年の耐用年数を有する耐腐食性材料で構成されていれば、種々のものを使用することができる。このようなシート材としては、例えば、セラミックス、ガラス、合成樹脂等の繊維、フィラメント、ストランド等から製織又は製編等されたシートや不織布、あるいは金属板、金属シート等が挙げられる。
【００２４】
前記ステンレスメッシュ７等のシート材は、断熱材５に、例えば釘、ビス、ステープル等の止着部材や接着剤、あるいは熱溶着等によってあらかじめ工場等で取付けられるか又は建物Ａの建築現場で取付けられる。シート材を釘等の止着部材で取付ける場合には、必要に応じてこの止着部材を例えば銅、亜鉛、黄銅等で構成したり、あるいは含有させたりして、白アリ忌避効果を発揮させるようにしておいてもよい。
【００２５】
ここで、シート材がステンレスメッシュ７等のように可撓性を有する場合には、建築現場での賦形等が可能であるので、シート材を建築現場で取付ける際の施工が簡単であるという利点がある。なお、可撓性を有しない場合には、工場生産等により、シート材を取付けようとする断熱材５の所定箇所の形状に合わせてあらかじめ適宜の形状に製造しておけばよい。
【００２６】
また、シート材が前記編み目１２等の複数のアンカー孔を有する場合には、断熱材５にシート材を接着又は熱溶着等する際に、アンカー効果によりこれらをより強固に一体化できるという利点がある。なお、複数のアンカー孔を有するシート材としては、前記ステンレスメッシュ７の他、例えばアンカー孔を打ち抜いて形成したパンチングメタル等が挙げられる。
【００２７】
この場合、アンカー孔の寸法が、少なくともいずれかの方向において前記白アリ６の頭部６ａの横断面の最大寸法Ｈの２倍以下である時には、白アリ６の頭部６ａが通り抜けないか又は頭部６ａが通り抜けても柔らかい体部６ｂ等がアンカー孔に接触するような寸法であり、白アリ６がそれを嫌うので、白アリ６がシート材を通り抜けるのを阻止することができる。また、アンカー孔の寸法を比較的大きくできるので、シート材の材料コストを低減化できると共に、寸法精度も低くてよいために製造も簡単であるという利点がある。
【００２８】
なお、前記最大寸法Ｈは、例えばイエシロアリの職蟻で１．１〜１．２５ｍｍ程度、ヤマトシロアリの職蟻で１．０〜１．２ｍｍ程度であるので、ヤマトシロアリが生息する地域では、アンカー孔の寸法を少なくともいずれかの方向において２．４ｍｍ程度以下としておくのが望ましい。このアンカー孔の形状は特に限定されるものではなく、矩形状や円状等の適宜の形状とすることができる。要するに、アンカー孔の寸法が、いずれか一方向、あるいは２以上の方向において２Ｈ以下であればよい。
【００２９】
ここで、シート材がステンレスメッシュ７等のメッシュ状部材である場合には、その繊維、フィラメント、又はストランド等の数を少なくできるので、コストダウンをより効果的に図ることができるという利点がある。
【００３０】
また、アンカー孔の寸法が２Ｈを超えるが３Ｈ以下である場合には、シート材に、少なくともセメントと細骨材とを含有する例えばモルタルや接着セメント等の表面材を塗布しておけば、前記細骨材等により白アリ６の通り抜けを阻止することができる。アンカー孔の寸法が３Ｈを超える場合には、表面材を塗布しておいても白アリ６が通り抜ける可能性があるので好ましくない。なお、２Ｈ以下の場合でも、表面材を塗布しておいても差し支えない。
【００３１】
前記表面材には、強度、耐クラック性、接着性、水密性、耐摩耗性等を向上させるために、前記接着セメントに含有されるセメント接着剤等のポリマーを添加しておくのが望ましく、また、必要に応じて例えば亜鉛や銅、あるいは亜鉛化合物や銅化合物等の白アリ忌避剤を添加しておいてもよい。この表面材は、断熱材５にシート材を接着又は熱溶着等して一体化してから塗布してもよいし、あるいは断熱材５にこの表面材でシート材を接着してもよい。
【００３２】
このように、床下空間を有しない建物Ａにおいて、断熱材５の布基礎１に密着しない面のこの布基礎１と密着する下縁５ｆから少なくとも地上の所定高さＬまでの範囲をステンレスメッシュ７等のシート材で被覆しておけば、光等に弱いために地盤１０中から断熱材５に侵入しようとする白アリ６の進行を阻止することができる。そのため、断熱材５を白アリ６による食害から保護できると共に、白アリ６がこの断熱材５の内部を通過して軸組Ｂや床組Ｃへ侵入するのを防止できるという利点がある。また、布基礎１の内方の盛土２上に土間床３が施工されているので、布基礎１の内方から白アリ６が侵入しにくいという利点がある。
【００３３】
また、この実施形態のように、ステンレスメッシュ７等の下縁部７ｂを例えば接着セメント１３等でベース部８上等に接着しておけば、シート材と布基礎との間に隙間が形成されないので、白アリ６の侵入を確実に防止できるという利点がある。
【００３４】
この場合、前記下縁部７ｂは、図５に示すように断熱材５の下端を巻き込むようにして布基礎１に接着等しておいてもよいし、あるいは図６に示すように内方に突出した状態で布基礎１に埋設しておいてもよい。また、図７に示すように、下方に突出した状態で布基礎１に埋設しておいてもよい。要するに、接着又は埋設等することによって、布基礎１の所定箇所の表面又は内部に取付けておけばよい。なお、接着する場合には、必要に応じて接着前に釘等の止着部材で仮止めしてもよいし、前記接着セメント１３に代えて、例えばモルタル等を使用してもよい。
【００３５】
更に、シート材の被覆範囲もこの実施形態に限定されるものではなく、図７に示すように断熱材５の外側面５ａの全体を被覆しておいてもよいし、あるいは図８に示すように更に断熱材５の上面５ｃを被覆しておいてもよい。また、図８のように、シート材の上縁部７ａを、断熱材５と立ち上がり部４の厚さの和とほぼ同じ間隔を開けてコ字状に折曲しておけば、シート材を後から取付ける場合において位置決めが簡単であると共に、固定するまでのずれも防止できるという利点がある。この場合、前記上縁部７ａの水平部分は、土台１４と立ち上がり部４の間に介在する気密パッキン１５の下に挟んで固定すればよい。このように、断熱材５の上面５ｃをも被覆しておけば、万が一断熱材５の内部に白アリ６が侵入した場合でも、シート材により白アリ６の進行が阻止されて上方の軸組Ｂや床組Ｃへ侵入することがない。また、この場合、シート材の上縁部７ａを気密パッキン１５の下に挟んでおけば、断熱材５と立ち上がり部４の間に隙間が形成されている時でも、白アリ６の侵入を確実に防止することができる。
【００３６】
加えて、図９に示すように、より低く形成した断熱材５の外側面５ａに加えて上面５ｃをステンレスメッシュ７等のシート材で被覆すると共に、この断熱材５の上面５ｃにシート材を介して更に断熱材１６を取付けてもよい。この場合も図８に示す例と同様、万が一下段の断熱材５の内部に白アリ６が侵入した場合でも、シート材により白アリ６の進行が阻止されて上段の断熱材１６に侵入することがない。また、図９のように、シート材の上縁部７ａの先端を立ち上がり部４に埋設等して取付けておけば、下段の断熱材５と立ち上がり部４の間に隙間が形成されている時でも、白アリ６の侵入を確実に防止することができる。
【００３７】
図１０に示すように、第２実施形態に係る建物Ａの防蟻構造は、第１実施形態において、前記ステンレスメッシュ７の上縁部７ａをより長く形成しておき、この上縁部７ａで断熱材５の上面５ｃ及び布基礎１の天端面１ｃを被覆すると共に、この上縁部７ａを土間床３の上面３ｃに接着セメント１３等で取付けたものである。
【００３８】
なお、この場合も、前記上縁部７ａは、適当な角度で下方へ折曲等しておいて土間床３の打設の際にこの土間床３に埋設してもよい。
【００３９】
このようにして前記上縁部７ａを土間床３に取付けておけば、土間床３と立ち上がり部４の打ち継ぎ部分１７から白アリ６が侵入するのを防止できるという利点がある。
【００４０】
図１１に示すように、第３実施形態に係る建物Ａの防蟻構造は、第１実施形態において、前記断熱材５が立ち上がり部４の内側面４ｂに密着していると共に、この断熱材５の布基礎１に密着しない例えば内側面５ｂのこの布基礎１と密着する下縁５ｆから土間床３の下面３ｄの高さまでの範囲をステンレスメッシュ７で被覆したものである。
【００４１】
上記の範囲をステンレスメッシュ７等のシート材で被覆しておけば、第１及び第２実施形態と同様、地盤１０や盛土２等から断熱材５に侵入しようとする白アリ６の進行を阻止することができる。
【００４２】
なお、この実施形態においても、断熱材５がベース部８と密着しない場合には、断熱材５の下面５ｄ等をもシート材で被覆しておけばよい。
【００４３】
図１２に示すように、第４実施形態に係る建物Ａの防蟻構造は、第３実施形態において、前記ステンレスメッシュ７の上縁部７ａをより長く形成しておき、この上縁部７ａを例えば土間床３の下面３ｄ付近に埋設したものである。
【００４４】
なお、この場合も、図１３に示すように、前記上縁部７ａを土間床３の上面３ｃに接着セメント１３等で接着することにより取付けてもよい。
【００４５】
このようにして前記上縁部７ａを土間床３に取付けておけば、土間床３と断熱材５の打ち継ぎ部分１８から白アリ６が侵入するのを防止できるという利点がある。
【００４６】
以上の第１乃至第４実施形態においては、前記断熱材５が立ち上がり部４の外側面４ａ又は内側面４ｂに密着している場合について説明したが、これに限定されるものではなく、断熱材５が立ち上がり部４の両側面４ａ，４ｂにそれぞれ密着していてもよい。また、土間床３と前記布基礎９等の打ち継ぎ部分１９の上方又は下方等にも、シート材をこの打ち継ぎ部分１９を閉塞するように取付けておくのが望ましい。
【００４７】
図１４及び図１５に示すように、第５実施形態に係る建物Ａの防蟻構造は、例えば、床下空間を有しない建物Ａの基礎スラブ２０の外側面２０ａに密着した断熱材５の内部を白アリ６が通過して、前記基礎スラブ２０上に設置された軸組Ｂ及び床組Ｃへ侵入するのを物理的に防止するものであって、前記断熱材５の基礎スラブ２０に密着しない外側面５ａの全体をステンレスメッシュ７で被覆すると共に、このステンレスメッシュ７の下縁部７ｂを基礎スラブ２０の下方に施工された捨てコンクリート２１の外側面２１ａに接着セメント１３等で取付けたものである。
【００４８】
前記基礎スラブ２０は、土台１４等が載置される部分が他の部分より厚肉に形成されているが、この基礎スラブ２０の構成としては特に限定されるものではなく、軸組Ｂや床組Ｃを直接設置できる各種の構成のものを採用することができる。また、この基礎スラブ２０の下方の所定範囲には、必要に応じて断熱材を敷設しておいてもよい。この場合、敷設される断熱材の下面等もステンレスメッシュ７等で被覆しておくのが望ましい。
【００４９】
なお、ステンレスメッシュ７等の下縁部７ｂは、捨てコンクリート２１の打設の際にこの捨てコンクリート２１に埋設してもよい。ここで、捨てコンクリート２１を施工しない場合には、ステンレスメッシュ７等は、断熱材５の基礎スラブ２０に密着しない面のこの基礎スラブ２０と密着する下縁から外側面５ａの上縁５ｅまでの範囲を被覆しておけばよい。この場合、ステンレスメッシュ７等の下縁部７ｂは、基礎スラブ２０に接着又は埋設等して取付けておくのが望ましい。
【００５０】
このように、基礎スラブ２０においても布基礎１の場合と同様、上記の範囲をステンレスメッシュ７等のシート材で被覆しておけば、地盤１０中から断熱材５に侵入しようとする白アリ６の進行を阻止することができる。
【００５１】
また、この実施形態においてもステンレスメッシュ７等の上縁部７ａをより長く形成しておき、この上縁部７ａで断熱材５の上面５ｃをも被覆しておけば、万が一断熱材５の内部に白アリ６が侵入した場合でも、シート材により白アリ６の進行が阻止されて上方の軸組Ｂや床組Ｃへ侵入することがない。また、この場合、シート材の上縁部７ａを気密パッキン１５の下に挟んでおけば、断熱材５と基礎スラブ２０の間に隙間が形成されている時でも、白アリ６の侵入を確実に防止することができる。
【００５２】
以上の第１乃至第５実施形態においては、断熱材５の外側面５ａ又は内側面５ｂ等の所定範囲をステンレスメッシュ７等で被覆しているが、これに限定されるものではなく、断熱材５の外側面５ａ、内側面５ｂ、上面５ｃ、及び下面５ｄの４面を被覆しておいてもよいし、あるいは横方向に並べて配置される断熱材５の全面を被覆しておいてもよい。
【００５３】
【発明の効果】
以上のように、請求項１の発明によれば、布基礎と土間床とを有する床下空間のない建物において、前記断熱材の布基礎に密着しない面のこの布基礎と密着する下縁から少なくとも地上の所定高さまでの範囲を前記シート材で被覆しているので、光等に弱いために地盤中から断熱材に侵入しようとする白アリの進行を阻止することができる。そのため、断熱材を白アリによる食害から保護できると共に、白アリがこの断熱材の内部を通過して軸組や床組へ侵入するのを防止できるという利点がある。また、布基礎の内方の盛土上に土間床が施工されているので、布基礎の内方から白アリが侵入しにくいという利点がある。
【００５４】
更に、前記シート材の上縁部で前記断熱材の上面及び布基礎の天端面を被覆すると共に、このシート材の上縁部を前記土間床に取付けているので、土間床と立ち上がり部の打ち継ぎ部分から白アリが侵入するのを防止できるという利点がある。また、万が一断熱材の内部に白アリが侵入した場合でもシート材により白アリの進行が阻止されると共に、断熱材と立ち上がり部の間に隙間が形成されている時でも白アリの侵入を確実に防止することができる。
【００５５】
請求項２の発明によれば、前記断熱材の布基礎に密着しない面のこの布基礎と密着する下縁から少なくとも前記土間床の下面の高さまでの範囲を前記シート材で被覆しているので、地盤や盛土等から断熱材に侵入しようとする白アリの進行を阻止することができる。
【００５６】
請求項３の発明によれば、前記シート材の上縁部を前記土間床に取付けているので、土間床と断熱材の打ち継ぎ部分から白アリが侵入するのを防止できるという利点がある。
【００５７】
請求項４の発明によれば、前記シート材の下縁部を前記布基礎に取付けているので、シート材と布基礎との間に隙間が形成されないので、白アリの侵入を確実に防止できるという利点がある。
【００５８】
請求項５の発明によれば、基礎スラブ上に軸組や床組が設置された床下空間を有しない建物において、前記断熱材の基礎スラブに密着しない面のこの基礎スラブ又は捨てコンクリートと密着する下縁から少なくとも外側面の上縁までの範囲を、前記シート材で被覆しているので、地盤中から断熱材に侵入しようとする白アリの進行を阻止することができる。
【００５９】
請求項６の発明によれば、前記シート材の下縁部を前記基礎スラブ又は捨てコンクリートに取付けているので、シート材と基礎スラブ又は捨てコンクリートとの間に隙間が形成されないので、白アリの侵入を確実に防止できるという利点がある。
【００６０】
請求項７の発明によれば、前記シート材が可撓性を有するので、建築現場での賦形等が可能であり、そのためシート材を建築現場で取付ける際の施工が簡単であるという利点がある。
【００６１】
請求項８の発明によれば、前記シート材が、少なくともいずれかの方向において前記白アリの頭部横断面の最大寸法の２倍以下の寸法である複数のアンカー孔を有するので、断熱材にシート材を接着又は熱溶着等する際に、アンカー効果によりこれらをより強固に一体化できるという利点がある。また、アンカー孔の寸法が前記最大寸法の２倍以下で、白アリの頭部が通り抜けないか又は頭部が通り抜けても柔らかい体部等がアンカー孔に接触するような寸法であり、白アリがそれを嫌うので、白アリがシート材を通り抜けるのを阻止することができる。また、アンカー孔の寸法を比較的大きくできるので、シート材の材料コストを低減化できると共に、寸法精度も低くてよいために製造も簡単であるという利点がある。
【図面の簡単な説明】
【図１】第１実施形態に係る建物の防蟻構造の縦断面図。
【図２】図１の要部拡大縦断面図。
【図３】  (a) は白アリの平面図、(b) は(a) のＹ−Ｙ線断面図。
【図４】ステンレスメッシュの要部拡大平面図。
【図５】建物の防蟻構造の他の例を示す要部拡大縦断面図。
【図６】建物の防蟻構造の他の例を示す要部拡大縦断面図。
【図７】建物の防蟻構造の他の例を示す要部拡大縦断面図。
【図８】建物の防蟻構造の他の例を示す要部拡大縦断面図。
【図９】建物の防蟻構造の他の例を示す要部拡大縦断面図。
【図１０】第２実施形態に係る建物の防蟻構造の要部拡大縦断面図。
【図１１】第３実施形態に係る建物の防蟻構造の要部拡大縦断面図。
【図１２】第４実施形態に係る建物の防蟻構造の要部拡大縦断面図。
【図１３】建物の防蟻構造の他の例を示す要部拡大縦断面図。
【図１４】第５実施形態に係る建物の防蟻構造の要部拡大縦断面図。
【図１５】図１４の要部拡大縦断面図。
【符号の説明】
Ａ  建物
Ｂ  軸組
Ｃ  床組
１  布基礎
１ｃ  天端面
２  盛土
３  土間床
３ｃ  上面
３ｄ  下面
４  立ち上がり部
４ａ  外側面
４ｂ  内側面
５  断熱材
５ａ  外側面
５ｂ  内側面
５ｃ  上面
５ｅ  上縁
５ｆ  下縁
６  白アリ
６ａ  頭部
７  ステンレスメッシュ（シート材）
７ａ  上縁部
７ｂ  下縁部
１２  編み目（アンカー孔）
１７，１８  打ち継ぎ部分
２０  基礎スラブ
２０ａ  外側面
２１  捨てコンクリート
【図１】
0003789656.tif 000002
【図２】
0003789656.tif 000003
【図３】
0003789656.tif 000004
【図４】
0003789656.tif 000005
【図５】
0003789656.tif 000006
【図６】
0003789656.tif 000007
【図７】
0003789656.tif 000008
【図８】
0003789656.tif 000009
【図９】
0003789656.tif 000010
【図１０】
0003789656.tif 000011
【図１１】
0003789656.tif 000012
【図１２】
0003789656.tif 000013
【図１３】
0003789656.tif 000014
【図１４】
0003789656.tif 000015
【図１５】
0003789656.tif 000016